(57)【要約】【課題】釘や接着剤で支持具を固定する必要がなく、和室内に物干し竿を簡単に取付けることができ、多数の洗濯物を同時に干せて、しかも壁から離れた場所に干すことができるので乾きも速い物干し竿支持具を提供するものである。【解決手段】本体ブロック２の上部に半円形状の竿支持溝３が形成され、本体ブロック２の底部に、その長手方向に沿って断面逆Ｖ形状の長押挿入溝４が形成されて、前記長押挿入溝４内に、室内の対向する位置の長押７を差し込んでセットし、竿支持溝３に物干し竿９の両端を挿入して支持するようにしたものである。【選択図】  図４
0003124167.tif 000002
【実用新案登録請求の範囲】
【請求項１】
本体ブロックの上部に半円形状の竿支持溝が形成され、本体ブロックの底部に、その長手方向に沿って長押挿入溝が形成されて、前記長押挿入溝内に、室内の対向する位置の長押を差し込んでセットし、竿支持溝に物干し竿の両端を挿入して支持するようにしたことを特徴とする物干し竿支持具。  
【請求項２】
長押挿入溝が断面逆Ｖ形状に形成されていることを特徴とする請求項１記載の物干し竿支持具。        
【考案の詳細な説明】
【技術分野】
【０００１】
本考案は、和室に物干し竿を取付ける支持具に関するものである。
【背景技術】
【０００２】
一般に和室には鴨居に沿って、ここに板を取付けて凹溝を形成した長押（なげし）が取付けられている。この長押には洋服ハンガーのフックを引っ掛けて服を吊すことができる。しかしながら多数の洗濯物を和室内に干すような場合、物干し竿を取付けることができないので、多数の洋服ハンガーを長押に引っ掛けて干さなければならなかった。またこのような干し方では、濡れた服が壁に接触して壁や服を汚す恐れがあると共に、壁際に吊すので空気の流通が悪く乾きが悪い問題があった。
【考案の開示】
【考案が解決しようとする課題】
【０００３】
本考案は上記問題を改善し、釘や接着剤で支持具を固定する必要がなく、和室内に物干し竿を簡単に取付けることができ、多数の洗濯物を同時に干せて、しかも壁から離れた場所に干すことができるので乾きも速い物干し竿支持具を提供するものである。
【課題を解決するための手段】
【０００４】
本考案の請求項１記載の物干し竿支持具は、本体ブロックの上部に半円形状の竿支持溝が形成され、本体ブロックの底部に、その長手方向に沿って長押挿入溝が形成されて、前記長押挿入溝内に、室内の対向する位置の長押を差し込んでセットし、竿支持溝に物干し竿の両端を挿入して支持するようにしたことを特徴とするものである。
【０００５】
本考案の請求項２記載の物干し竿支持具は、長押挿入溝が断面逆Ｖ形状に形成されていることを特徴とするものである。
【考案の効果】
【０００６】
本考案に係る請求項１記載の物干し竿支持具によれば、本体ブロックの底部に形成した長押挿入溝に長押を挿入してセットしてするだけで物干し竿を支持することができるので、釘を打ったり接着剤で支持具を固定する必要がなく、取外しも簡単で、任意の位置に取付けることができる。また物干し竿を室内に簡単に取付けることができるので、多数の洗濯物を同時に干すことができ、しかも壁から離れた場所に干すことができるので洗濯物の乾きも速い。
【０００７】
また請求項２記載の物干し竿支持具によれば、長押挿入溝が断面逆Ｖ形状に形成されているので長押の板厚さが異なっても、テーパー面で確実に挟持して安定して取付けることができる。
【考案を実施するための最良の形態】
【０００８】
以下本考案の実施の一形態を図１ないし図４を参照して詳細に説明する。図において１は物干し竿支持具を示すもので、本体ブロック２は木材で、下部の厚さが厚く上部を薄く形成した側面が逆Ｖ形状に形成されている。この本体ブロック２の上部中央に、半円形状の竿支持溝３が形成され、本体ブロックの底部に、その長手方向に沿って断面逆Ｖ形状の長押挿入溝４が形成されている。
【０００９】
上記構成の物干し竿支持具１は、図４に示すように和室の壁５に取付けた鴨居６に沿って板を取付けて凹溝８を形成した長押７が形成されている。一方の物干し竿支持具１を和室の一方の壁５の長押７に合わせて、これを長押挿入溝４に挿入してセットする。次に、これと対向する他方の壁５の長押７に他方の物干し竿支持具１を合わせて、長押７を長押挿入溝４に挿入してセットする。この後、物干し竿９の両端を対向する物干し竿支持具１、１の半円形状の竿支持溝３、３に挿入して支持する。次に洗濯した服１１をハンガー１２に掛けて、フック１３を物干し竿９に掛けて吊す。
【００１０】
従って、物干し竿支持具１を長押７にセットするだけで物干し竿９を支持することができるので、釘を打ったり接着剤で支持具を固定する必要がなく、取外しも簡単で、任意の位置に取付けることができる。このため長押に直接、洋服ハンガーを吊して干す場合に比べて、多数の洗濯物を同時に干すことができ、しかも壁から離れた場所に干すことができるので洗濯物の乾きも速い。
【００１１】
また長押挿入溝４が断面逆Ｖ形状に形成されているので長押７の板厚さが異なっても、テーパー面で確実に挟持して安定して取付けることができる。また上記説明では本体ブロック２を木材で形成した場合について示したがプラスチックで形成したものでも良い。
【産業上の利用可能性】
【００１２】
なお上記説明では、洗濯した服１１を吊して室内に干す物干し竿９の支持具として使用した場合について示したが、服１１を吊下げて保管する洋服ハンガーのパイプ支持具としても使用することができる。
【図面の簡単な説明】
【００１３】
【図１】本考案の実施の一形態による物干し竿支持具の斜視図である。
【図２】図１の物干し竿支持具を示す側面図である。
【図３】図２の物干し竿支持具を示す縦断正面図である。
【図４】図１の物干し竿支持具の使用状態を示す説明図である。
【符号の説明】
【００１４】
１    物干し竿支持具                                        
２    本体ブロック                                          
３    半円形状の竿支持溝                                    
４    長押挿入溝                                            
５    和室の壁                                              
６    鴨居                                                  
７    長押                                                  
８    凹溝                                                  
９    物干し竿                                              
１１  服                                                    
１２  ハンガー                                              
１３  フック                                                
【図１】
0003124167.tif 000003
【図２】
0003124167.tif 000004
【図３】
0003124167.tif 000005
【図４】
0003124167.tif 000006